(57)【要約】【課題】  高倍率化、小型軽量化の両立に加え、良好な光学性能を達成することを可能としたズームレンズ及びそれを有する撮像装置を提供する。【解決手段】  ズームレンズは、物体側から像側へ順に、正の第１群と、負の第２群と、正の第３群と、負の第４群と、正の第５群を有し、第１群は物体側より像側へ順に、合焦のためには不動で負の屈折力の第１１群、合焦に際し光軸に沿って移動する正の屈折力の第１２群、合焦のためには不動で正の屈折力の第１３群を有し、第１３群には負レンズを有し、第２群と第３群の望遠端における間隔をＬ２ｔとし、第３群と第４群の間隔が最小となるズーム位置での第２群と第３群の間隔をＬ２ｔｍとし、第２群と第３群の広角端における間隔をＬ２ｗとし、第３群と第４群の広角端における間隔をＬ３ｗとし、第２群、第３群の焦点距離をそれぞれｆ２、ｆ３とするとき、これらの関係を適切に満たすことを特徴とする。【選択図】  図１
2015018083.tif 000002
【特許請求の範囲】
【請求項１】
物体側から像側へ順に、変倍のためには不動の正の屈折力の第１レンズ群、変倍に際して移動する負の屈折力の第２レンズ群、変倍に際して移動する正の屈折力の第３レンズ群、変倍に際して移動する負の屈折力の第４レンズ群、変倍のためには不動の正の屈折力の第５レンズ群から構成されるズームレンズであって、
該第１レンズ群は、物体側から像側へ順に、合焦のためには不動の負の屈折力の第１１レンズ群、合焦に際して移動する正の屈折力の第１２レンズ群、合焦のためには不動の正の屈折力の第１３レンズ群を有し、
該第１３レンズ群は負レンズを有し、
該第２レンズ群と該第３レンズ群の望遠端における間隔をＬ２ｔ、
該第３レンズ群と該第４レンズ群の間隔が最小となるズーム位置での該第２レンズ群と該第３レンズ群の間隔をＬ２ｔｍ、
該第２レンズ群と該第３レンズ群の広角端における間隔をＬ２ｗ、
該第３レンズ群と該第４レンズ群の広角端における間隔をＬ３ｗ、
該第２レンズ群の焦点距離をｆ２、
該第３レンズ群の焦点距離をｆ３、とするとき、
１．６  ＜  Ｌ２ｔｍ／Ｌ２ｔ  ＜  １０００．０
Ｌ２ｗ／Ｌ３ｗ  ＜  １．０
−０．５＜  ｆ２／ｆ３  ＜  −０．０５
なる条件を満足することを特徴とするズームレンズ。
【請求項２】
Ｌ２ｗ／Ｌ２ｔｍ＜１．６
なる条件を満足することを特徴とする請求項１に記載のズームレンズ。
【請求項３】
前記第４レンズ群の焦点距離をｆ４、広角端における全系の焦点距離をｆｗとしたとき、
−２０．０＜ｆ４／ｆｗ＜−２．０
−３．０＜ｆ２／ｆｗ＜−０．７
る条件を満足することを特徴とする請求項１又は２に記載のズームレンズ。
【請求項４】
前記第３レンズ群は、少なくとも１枚の負レンズと１枚の正レンズから構成されることを特徴とする請求項１乃至３のいずれか１項に記載のズームレンズ。
【請求項５】
請求項１乃至４のいずれか１項に記載のズームレンズと前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ、銀塩写真用カメラ等に好適なものである。
【背景技術】
【０００２】
近年、テレビカメラや映画用カメラ、写真用カメラ、ビデオカメラ等の撮像装置には、小型軽量で、広画角・高変倍比かつ高い光学性能を有したズームレンズが要望されている。特に、プロフェッショナルの動画撮影システムとしてのテレビ・映画用カメラに用いられているＣＣＤやＣＭＯＳ等の撮像デバイスは、撮像範囲全体が略均一の解像力を有している。そのため、これを用いるズームレンズに対しては、画面中心から画面周辺まで解像力が略均一であることが要求されている。また、機動性や操作性を重視した撮影形態に対して小型軽量化も要求されている。
【０００３】
広画角、高変倍比のズームレンズとして、最も物体側に正の屈折力のレンズ群を配置し、全体として５つのレンズ群により構成されるポジティブリード型の５群ズームレンズが知られている。
【０００４】
特許文献１、２では、物体側から順に正の屈折力の第１レンズ群、負の屈折力の第２レンズ群、正の屈折力の第３レンズ群、負の屈折力の第４レンズ群、正の屈折力の第５レンズ群からなる５群ズームレンズが開示されている。特許文献１は、収差補正を目的として、第２レンズ群と第３レンズ群の間隔変化を規定することを開示している。特許文献２は、第１レンズ群の小型軽量化を目的として第２レンズ群と第３レンズ群の間隔変化を規定することを開示している。
【先行技術文献】
【特許文献】
【０００５】
【特許文献１】特開平１０−３１１５７号公報
【特許文献２】特開２０１１−８１０６５号公報
【発明の概要】
【発明が解決しようとする課題】
【０００６】
本発明の目的は、高倍率化、小型軽量化の両立に加え、良好な光学性能を達成することを可能としたズームレンズを提供することである。
【課題を解決するための手段】
【０００７】
上記目的を達成するために、本発明のズームレンズは、物体側から像側へ順に、変倍のためには不動の正の屈折力の第１レンズ群、変倍に際して移動する負の屈折力の第２レンズ群、変倍に際して移動する正の屈折力の第３レンズ群、変倍に際して移動する負の屈折力の第４レンズ群、変倍のためには不動の正の屈折力の第５レンズ群から構成されるズームレンズであって、該第１レンズ群は物体側から像側へ順に、合焦のためには不動の負の屈折力の第１１レンズ群、合焦に際して移動する正の屈折力の第１２レンズ群、合焦のためには不動の正の屈折力の第１３レンズ群を有し、該第１３レンズ群は負レンズを有し、該第２レンズ群と該第３レンズ群の望遠端における間隔をＬ２ｔ、該第３レンズ群と該第４レンズ群の間隔が最小となるズーム位置での該第２レンズ群と該第３レンズ群の間隔をＬ２ｔｍ、該第２レンズ群と該第３レンズ群の広角端における間隔をＬ２ｗ、該第３レンズ群と該第４レンズ群の広角端における間隔をＬ３ｗ、該第２レンズ群の焦点距離をｆ２、該第３レンズ群の焦点距離をｆ３、としたとき、
１．６  ＜  Ｌ２ｔｍ／Ｌ２ｔ  ＜  １０００．０
Ｌ２ｗ／Ｌ３ｗ  ＜  １．０
−０．５＜  ｆ２／ｆ３  ＜  −０．０５
を満足することを特徴とする。
【発明の効果】
【０００８】
本発明によれば、高倍率化、小型軽量化の両立に加え、良好な光学性能を達成することを可能としたズームレンズを提供することができる。
【図面の簡単な説明】
【０００９】
【図１】実施例１のズームレンズの広角端におけるレンズ断面図である。
【図２】実施例１のズームレンズの、（Ａ）広角端、（Ｂ）焦点距離８７．９ｍｍ、（Ｃ）望遠端、における収差図である。
【図３】実施例２のズームレンズの広角端におけるレンズ断面図である。
【図４】実施例２のズームレンズの、（Ａ）広角端、（Ｂ）焦点距離６９．５ｍｍ、（Ｃ）望遠端、における収差図である。
【図５】実施例３のズームレンズの広角端におけるレンズ断面図である。
【図６】実施例３のズームレンズの、（Ａ）広角端、（Ｂ）焦点距離２９．６ｍｍ、（Ｃ）望遠端、における収差図である。
【図７】実施例４のズームレンズの広角端におけるレンズ断面図である。
【図８】実施例４のズームレンズの、（Ａ）広角端、（Ｂ）焦点距離６４．７ｍｍ、（Ｃ）望遠端、における収差図である。
【図９】本発明の近軸結像関係の概略図である。
【図１０】本発明の近軸結像関係の概略図である。
【図１１】本発明のズーム時の軌跡を表した概略図である。
【図１２】本発明の撮像装置の要部概略図である。
【発明を実施するための形態】
【００１０】
以下に本発明のズームレンズの実施の形態を添付の図面に基づいて詳細に説明する。
【００１１】
図１は本発明のズームレンズの実施例１としての数値実施例１の広角端で、無限遠物体に合焦しているときのレンズ断面図である。図２は、数値実施例１の（Ａ）広角端、（Ｂ）ｆ＝８７．９ｍｍ、（Ｃ）望遠端（長焦点距離端）における無限遠物体に合焦しているときの縦収差図である。
【００１２】
図３は本発明のズームレンズの実施例２としての数値実施例２の広角端で、無限遠物体に合焦しているときのレンズ断面図である。図４は、数値実施例２の（Ａ）広角端、（Ｂ）ｆ＝６９．５ｍｍ、（Ｃ）望遠端における無限遠物体に合焦しているときの縦収差図である。
【００１３】
図５は本発明のズームレンズの実施例３としての数値実施例３の広角端で、無限遠物体に合焦しているときのレンズ断面図である。図６は、数値実施例３の（Ａ）広角端、（Ｂ）ｆ＝２９．６ｍｍ、（Ｃ）望遠端における無限遠物体に合焦しているときの縦収差図である。
【００１４】
図７は本発明のズームレンズの実施例４としての数値実施例４の広角端で、無限遠物体に合焦しているときのレンズ断面図である。図８は、数値実施例４の（Ａ）広角端、（Ｂ）ｆ＝６４．７ｍｍ、（Ｃ）望遠端における無限遠物体に合焦しているときの縦収差図である。
【００１５】
縦収差図において、球面収差はｅ線（実線）、ｇ線（点線）を示している。非点収差はｅ線のメリディオナル像面（点線）とサジタル像面（実線）を示している。倍率色収差はｇ線（点線）によって表している。ＦｎｏはＦナンバー、ωは撮影半画角を表す。縦収差図では、球面収差は０．４ｍｍ、非点収差は０．４ｍｍ、歪曲は１０％、倍率色収差は０．１ｍｍのスケールで描かれている。
【００１６】
本発明のズームレンズは、物体側から像側へ順に、変倍のためには不動の正の屈折力の第１レンズ群、変倍に際して移動する負の屈折力の第２レンズ群、変倍に際して移動する正の屈折力の第３レンズ群、変倍に際して移動する負の屈折力の第４レンズ群、変倍のためには不動の正の屈折力の第５レンズ群、から構成されている。
【００１７】
第１レンズ群は、物体側より像側へ順に、合焦のためには不動で負の屈折力の第１１レンズ群、合焦に際して光軸に沿って移動する正の屈折力の第１２レンズ群、合焦のためには不動で正の屈折力の第１３レンズ群を有する。第１３レンズ群は少なくとも１枚の負レンズを有する。
【００１８】
第２レンズ群と第３レンズ群の望遠端における間隔をＬ２ｔ、第３レンズ群と第４レンズ群の間隔が最小となるズーム位置での第２レンズ群と第３レンズ群の間隔をＬ２ｔｍ、
第２レンズ群と第３レンズ群の広角端における間隔をＬ２ｗ、第３レンズ群と第４レンズ群の広角端における間隔をＬ３ｗ、第２レンズ群と第３レンズ群の焦点距離をそれぞれｆ２、ｆ３とするとき、
１．６  ＜  Ｌ２ｔｍ／Ｌ２ｔ  ＜  １０００．０・・・（１）
Ｌ２ｗ／Ｌ３ｗ  ＜  １．０・・・（２）
−０．５＜  ｆ２／ｆ３  ＜  −０．０５・・・（３）
なる条件式を満たすことを特徴としている。
【００１９】
本発明の５群ズームレンズにおいて、所定のズーム位置ｍにおける焦点距離ｆｍは、第１レンズ群の焦点距離をｆ１、第Ｎレンズ群（Ｎ＝１〜５）のズーム位置ｍにおける横倍率をβＮｍとしたとき、以下の式で表すことができる。
ｆｍ＝ｆ１×（β２ｍ×β３ｍ×β４ｍ×β５ｍ）・・・（Ｘ）
ただし、各横倍率および焦点距離は、物体距離無限遠での値である。
あわせて、ズームレンズであることから、変倍に関わらず、変倍群による像点が一定であるという条件を満たす必要がある。
【００２０】
本発明では、第５レンズ群は変倍の際に不動であることから横倍率β５ｍは変倍に際し変化しない。所定のｆｍを得るための条件（β２ｍ×β３ｍ×β４ｍ）は一義的には決まらない。したがって所定の範囲で任意に各変倍移動群の移動軌跡を変更可能である。
本発明の５群ズームレンズにおいて、ズーム位置ｍにおいて第２レンズ群Ｕ２と第３レンズ群Ｕ３の間隔を変化させたときの第４レンズ群Ｕ４のパワー配置を以下に説明する。
【００２１】
一般に、焦点距離がそれぞれｆａ、ｆｂであるレンズａとレンズｂの合成焦点距離ｆａｂは、レンズ間の主点間隔をｅ’として以下の式（Ｙ）で表される。
１／ｆａｂ＝１／ｆａ＋１／ｆｂ−ｅ’×１／ｆａ×１／ｆｂ・・・（Ｙ）
式（Ｙ）により、ｆａが負、ｆｂが正であり、かつ合成焦点距離ｆａｂが負となる条件においては、ｅ’が大きくなるとｆａｂの絶対値は大きくなり、ｅ’が小さくなるとｆａｂの絶対値は小さくなる。
【００２２】
また、レンズの近軸結像関係は、以下の式（Ｚ）で表される。ここで、ｆはレンズの焦点距離、ｓはレンズの物点、ｓ’はレンズの像点である。
１／ｓ’＝１／ｓ＋１／ｆ・・・（Ｚ）
図９と式（Ｚ）により、ｆ＜０、ｓ＞０であり、かつ｜ｓ｜＞｜ｆ｜である場合（ｓ’＜０である場合）、ｆの絶対値を増大させるとｓ’の絶対値は増大し、ｆの絶対値を減少させるとｓ’の絶対値は減少する。図９はｓ＜０かつｆ＞０の概略図であるが、式（Ｚ）を満たすため、上記ｆ、ｓ、ｓ’の関係は変わらない。
【００２３】
本発明では、広角端から望遠端にかけてＵ２とＵ３の合成焦点距離は負であり、Ｕ２とＵ３の合成レンズに関して、物点は像側（ｓ＞０）、像点は物体側（ｓ’＜０）である。よって、Ｕ２とＵ３の間隔を広げると、式（Ｙ）によりＵ２とＵ３の合成焦点距離の絶対値は大きくなる。したがって、Ｕ２とＵ３による像点は式（Ｚ）により物体側に移動する。このとき、ズームレンズとして像点を補正するために、Ｕ４は物体側に移動する。同様に、Ｕ２とＵ３の間隔を狭めると、Ｕ４は物体側に移動する。
【００２４】
そこで本発明では、Ｕ３とＵ４が最も近付くズーム位置ｔｍにおいてＵ２とＵ３の間隔を広げながら、望遠端でＵ２とＵ３の間隔が狭まるようなレンズ配置をとる。これによりＵ３とＵ４が最も近付く配置でＵ４が像側に位置し、Ｕ３とＵ４の間隔を適切に保つことができる。また、望遠端でＵ４が像側に繰り出すことを抑制し、Ｕ４と第５レンズ群Ｕ５の望遠端における間隔を縮めることができる。具体的には、図１１のような軌跡をとる。上記レンズ配置をとることにより、高倍率化と全系の小型軽量化を両立させることができる。
【００２５】
本発明の５群ズームレンズでは、合焦方式としていわゆる３群インナーフォーカス方式を利用している。ここで３群インナーフォーカス方式とは、第１レンズ群Ｕ１を物体側から順に負の屈折力の第１１レンズ群Ｕ１１、正の屈折力の第１２レンズ群Ｕ１２、正の屈折力の第１３レンズ群Ｕ１３より構成し、第１２レンズ群Ｕ１２を移動させて合焦を行う方式である。合焦時、第１１レンズ群Ｕ１１および第１３レンズ群Ｕ１３は不動であり、第１２レンズ群Ｕ１２を物体側から像側へ移動させることで、無限遠物体から至近物体への合焦操作を行う。３群インナーフォーカス方式を利用することで、ズーム時、フォーカス時の収差変動を抑制する効果があることが知られている。また、正の屈折力の第１３レンズ群Ｕ１３に少なくとも１枚の負レンズを有する構成とすることで、色収差のズーム変動を有効に補正することが可能となる。
【００２６】
本発明におけるパワー配置を、概略図を用いて説明する。図１０に、本発明の近軸追跡の概略図を示す。図１０中の矢印は第１レンズ群Ｕ１および第２レンズ群Ｕ２、第３レンズ群Ｕ３、第４レンズ群Ｕ４、第５レンズ群Ｕ５を表しており、破線が物体近軸光線、点線が瞳近軸光線を表す。ＳＴ、ＩＭＧはそれぞれ絞り、像面を表す。図１０において、（Ａ）、（Ｂ）、（Ｃ）は、第２レンズ群Ｕ２が光軸上で同じ位置にあるときに第３レンズ群Ｕ３、第４レンズ群Ｕ４の配置が異なることを示している。図１０（Ａ）に対して、図１０（Ｂ）では、第３レンズ群Ｕ３が像側に移動しており、第２レンズ群Ｕ２と第３レンズ群Ｕ３の間隔が広い。このとき、図１０（Ｂ）に示すように、第４レンズ群Ｕ４は図１０（Ａ）より像側に位置している。また、図１０（Ａ）に対して、図１０（Ｃ）では、第３レンズ群Ｕ３が物体側に移動しており、第２レンズ群Ｕ２と第３レンズ群Ｕ３の間隔が狭い。このとき、図１０（Ｃ）に示すように、第４レンズ群Ｕ４は図１０（Ａ）より物体側に位置している。
【００２７】
条件式（１）は、望遠端における第２レンズ群と第３レンズ群の間隔Ｌ２ｔと、変倍時に第３レンズ群と第４レンズ群が最も近接するズーム位置ｔｍでの第２レンズ群と第３レンズ群の間隔Ｌ２ｔｍの比に関する。条件式（１）を満足することで、高倍率化と全系の小型軽量化を両立することができる。
【００２８】
条件式（１）の上限を超えると、望遠端における第２レンズ群と第３レンズ群の間隔が狭くなりすぎ、高速でレンズ群を駆動する場合にレンズ群同士が干渉する可能性があり、製造上好ましくない。条件式（１）の下限を超えると、望遠端における第２レンズ群と第３レンズ群の間隔が広くなりすぎ、第４レンズ群が過剰に像側に配置されてしまう。これにより、変倍時に第４レンズ群の像側への移動量が大きくなり、高倍率化のためには移動群が駆動するスペースを確保する必要があるため、全系の小型軽量化に不利であり、好ましくない。また、第３レンズ群と第４レンズ群が最も近接するズーム位置で第２レンズ群と第３レンズ群の間隔が狭くなりすぎる。そのため、第３レンズ群と第４レンズ群の干渉を防ぐために第３レンズ群と第４レンズ群の間隔を広く取る必要があり、全系の小型軽量化に不利であり、好ましくない。
【００２９】
条件式（２）は、広角端における第２レンズ群と第３レンズ群の間隔Ｌ２ｗおよび、広角端における第３レンズ群と第４レンズ群の間隔Ｌ３ｗの比に関する。条件式（２）を満足することで、広角端において第２レンズ群と第３レンズ群の間隔が小さくなり、望遠側で第４レンズ群の移動量を抑制することができる。
【００３０】
条件式（３）は、第２レンズ群の焦点距離ｆ２と第３レンズ群の焦点距離ｆ３の比に関する。条件式（３）を満足することで、高倍率化と全系の小型軽量化を両立するとともに、高い光学性能を得ることができる。条件式（３）の上限を超えると、第２レンズ群の焦点距離の絶対値が小さくなりすぎ、第２レンズ群が大きな屈折力を持ってしまい、変倍時の収差変動が大きくなりすぎるため、好ましくない。条件式（３）の下限を超えると、第２レンズ群の焦点距離の絶対値が大きくなりすぎ、高倍率化に不利となるため好ましくない。また、第３レンズ群の焦点距離が小さくなりすぎ、変倍時の収差変動が大きくなりすぎるため好ましくない。
【００３１】
更に好ましくは、（１）〜（３）式は次の如く設定するのが良い。
３．０  ＜  Ｌ２ｔｍ／Ｌ２ｔ  ＜１０．００・・・（１ａ）
Ｌ２ｗ／Ｌ３ｗ  ＜  ０．５・・・（２ａ）
−０．４＜  ｆ２／ｆ３  ＜  −０．１・・・（３ａ）
【００３２】
更に、第４レンズ群の焦点距離ｆ４、広角端における全系の焦点距離をｆｗとしたとき、
Ｌ２ｗ／Ｌ２ｔｍ＜１．６・・・（４）
−２０．０＜ｆ４／ｆｗ＜−２．０  ・・・（５）
−３．０＜ｆ２／ｆｗ＜−０．７・・・（６）
なる条件の内１以上を満足するのが良い。
【００３３】
条件式（４）は、広角端における第２レンズ群と第３レンズ群の間隔Ｌ２ｗ、および、変倍時に第３レンズ群と第４レンズ群が最も近接するズーム位置ｔｍでの第２レンズ群と第３レンズ群の間隔Ｌ２ｔｍの比に関する。条件式（４）を満足することで、高倍率化と全系の小型軽量化を両立することができる。
【００３４】
条件式（４）の上限を超えると、広角端における第２レンズ群と第３レンズ群の間隔が広くなりすぎ、第２レンズ群と第３レンズ群の合成焦点距離の絶対値が大きくなりすぎるため、高倍率化に不利となり、好ましくない。
【００３５】
条件式（５）は、第４レンズ群の焦点距離ｆ４と広角端における全系の焦点距離ｆｗの比に関する。条件式（５）を満足することで、高倍率化と全系の小型軽量化を両立するとともに、高い光学性能を得ることができる。条件式（５）の上限を超えると、第４レンズ群の焦点距離の絶対値が小さくなりすぎ、第４レンズ群が大きな屈折力を持ってしまい、変倍時の収差変動が大きくなりすぎるため、好ましくない。条件式（５）の下限を超えると、第４レンズ群の焦点距離の絶対値が大きくなりすぎ、変倍時の像点補正のために大きく移動する必要があり、小型軽量化や高倍率化に不利となり、好ましくない。
【００３６】
条件式（６）は、第２レンズ群の焦点距離ｆ２と広角端における全系の焦点距離ｆｗの比に関する。条件式（６）を満足することで、高倍率化と全系の小型軽量化を両立するとともに、高い光学性能を得ることができる。条件式（６）の上限を超えると、第２レンズ群の焦点距離の絶対値が小さくなりすぎ、第２レンズ群が大きな屈折力を持ってしまい、変倍時の収差変動が大きくなりすぎるため、好ましくない。条件式（６）の下限を超えると、第２レンズ群の焦点距離の絶対値が大きくなりすぎ、高倍率化を達成するためには変倍時に大きく移動する必要があり、小型軽量化に不利であり、好ましくない。
【００３７】
更に好ましくは、（４）〜（６）式は次の如く設定するのが良い。
Ｌ２ｗ／Ｌ２ｔｍ＜  １．５・・・（４ａ）
−１２．０＜ｆ４／ｆｗ＜−２．５・・・（５ａ）
−２．５＜ｆ２／ｆｗ＜−１．０・・・（６ａ）
なる条件の内１以上を満足するのが良い。
【００３８】
更には、第３レンズ群Ｕ３は少なくとも１つの負レンズと１つの正レンズからなるレンズを有することが好ましい。第３レンズ群Ｕ３に凹レンズと凸レンズを用いることで、変倍による諸収差の変動、特に色収差の変動を効果的に補正することが容易になる。
【００３９】
以下に本発明のズームレンズの数値実施例１〜４のレンズ構成の特徴を説明する。各実施例のレンズ断面図において、ＩＰは像面であり、固体撮像素子の撮像面に相当している。
【００４０】
［実施例１］
第１の実施例に示すズームレンズに関して、３群インナーフォーカス方式である第１レンズ群Ｕ１と、変倍に際して移動するレンズ群である第２レンズ群Ｕ２、第３レンズ群Ｕ３、第４レンズ群Ｕ４について主に説明する。
【００４１】
第１レンズ群Ｕ１は、数値実施例１において第１レンズ面〜第１７レンズ面に対応し、物体側から順に第１１レンズ群Ｕ１１と、第１２レンズ群Ｕ１２と、第１３レンズ群Ｕ１３と、から構成される。Ｕ１２は、数値実施例１において第７レンズ面〜第１０レンズ面に対応する。Ｕ１３には、１枚の負レンズが含まれている。
【００４２】
第２レンズ群Ｕ２は、数値実施例１において第１８レンズ面〜第２１レンズ面に対応し、物体側から像側へ順に、２枚の負レンズにて構成されている。
【００４３】
第３レンズ群Ｕ３は、数値実施例１において第２２レンズ面〜第２４レンズ面に対応し、物体側から像側へ順に、正レンズと負レンズがこの順に貼り合わされた接合レンズにて構成されている。
【００４４】
第４レンズ群Ｕ４は、数値実施例１において第２５レンズ面〜第２７レンズ面に対応し、物体側から像側へ順に、負レンズと正レンズがこの順に貼り合わされた接合レンズにて構成されている。
【００４５】
非球面は第１１レンズ群Ｕ１１の最も物体側のレンズである第１レンズの物体側面（第１レンズ面）、第１２レンズ群Ｕ１２の最も物体側のレンズ面である第４レンズの物体側面（第７レンズ面）に用いられている。主に広角側の歪曲収差や像面彎曲の補正およびフォーカシング時の収差変動の補正を行っている。
【００４６】
第１の実施例の各条件式対応値を表１に示す。数値実施例１はいずれの条件式も満足しており、広角化と高倍率化、小型軽量化を達成しつつ、良好な光学性能を有するズームレンズを実現している。
【００４７】
なお、本発明における接合レンズは微少な空気間隔を有する分離レンズとして存在していてもよい。これは本発明においてレンズ形状としての変形及び変更の想定内であり、以下全ての実施例においても同様である。
【００４８】
［実施例２］
第２の実施例に示すズームレンズに関して、３群インナーフォーカス方式である第１レンズ群Ｕ１と、変倍に際して移動するレンズ群である第２レンズ群Ｕ２、第３レンズ群Ｕ３、第４レンズ群Ｕ４について主に説明する。
【００４９】
第１レンズ群Ｕ１は、数値実施例２において第１レンズ面〜第１５レンズ面に対応し、物体側から順に第１１レンズ群Ｕ１１と、第１２レンズ群Ｕ１２と、第１３レンズ群Ｕ１３と、から構成される。第１２レンズ群Ｕ１２は、数値実施例２において第７レンズ面〜第８レンズ面に対応する。第１３レンズ群Ｕ１３には、１枚の負レンズが含まれている。
【００５０】
第２レンズ群Ｕ２は、数値実施例２において第１６レンズ面〜第１９レンズ面に対応し、物体側から像側へ順に、２枚の負レンズにて構成されている。
【００５１】
第３レンズ群Ｕ３は、数値実施例２において第２０レンズ面〜第２１レンズ面に対応し、正レンズ１枚にて構成されている。
【００５２】
第４レンズ群Ｕ４は、数値実施例２において第２２レンズ面〜第２４レンズ面に対応し、物体側から像側へ順に、負レンズと正レンズがこの順に貼り合わされた接合レンズにて構成されている。
【００５３】
非球面は第１１レンズ群Ｕ１１の最も物体側のレンズである第１レンズの物体側面（第１レンズ面）、第１２レンズ群Ｕ１２の最も物体側のレンズ面である第４レンズの物体側面（第７レンズ面）に用いられている。主に広角側の歪曲収差や像面彎曲の補正およびフォーカシング時の収差変動の補正を行っている。
【００５４】
第２の実施例の各条件式対応値を表１に示す。数値実施例２はいずれの条件式も満足しており、更に移動群である第３レンズ群が正レンズ１枚にて構成されている。これにより、更なる小型軽量化を達成しつつ、広角化と高倍率化、良好な光学性能を有するズームレンズを実現している。
【００５５】
［実施例３］
第３の実施例に示すズームレンズに関して、３群インナーフォーカス方式である第１レンズ群Ｕ１と、変倍に際して移動するレンズ群である第２レンズ群Ｕ２、第３レンズ群Ｕ３、第４レンズ群Ｕ４について主に説明する。
【００５６】
第１レンズ群Ｕ１は、数値実施例３において第１レンズ面〜第２０レンズ面に対応し、物体側から順に第１１レンズ群Ｕ１１と、第１２レンズ群Ｕ１２と、第１３レンズ群Ｕ１３と、から構成される。Ｕ１２は、数値実施例３において第９レンズ面〜第１０レンズ面に対応する。Ｕ１３には、２枚の負レンズが含まれている。
【００５７】
第２レンズ群Ｕ２は、数値実施例３において第２１レンズ面〜第２７レンズ面に対応し、物体側から像側へ順に、２枚の負レンズと、正レンズと負レンズがこの順に貼り合わされた接合レンズにて構成されている。
【００５８】
第３レンズ群Ｕ３は、数値実施例３において第２８レンズ面〜第２９レンズ面に対応し、正レンズ１枚にて構成されている。
【００５９】
第４レンズ群Ｕ４は、数値実施例３において第３０レンズ面〜第３２レンズ面に対応し、物体側から像側へ順に、負レンズと正レンズがこの順に貼り合わされた接合レンズにて構成されている。
【００６０】
非球面は第１２レンズ群Ｕ１２を構成するレンズである第５レンズの像側面（第１０レンズ面）に用いられている。主に広角側の歪曲収差や像面彎曲の補正を行っている。
【００６１】
第３の実施例の各条件式対応値を表１に示す。数値実施例３はいずれの条件式も満足しており、更に移動群である第３レンズ群が正レンズ１枚にて構成されている。これにより、更なる小型軽量化を達成しつつ、広角化と高倍率化、良好な光学性能を有するズームレンズを実現している。
【００６２】
［実施例４］
第４の実施例に示すズームレンズに関して、３群インナーフォーカス方式である第１レンズ群Ｕ１と、変倍に際して移動するレンズ群である第２レンズ群Ｕ２、第３レンズ群Ｕ３、第４レンズ群Ｕ４について主に説明する。
【００６３】
第１レンズ群Ｕ１は、数値実施例４において第１レンズ面〜第１７レンズ面に対応し、物体側から順に第１１レンズ群Ｕ１１と、第１２レンズ群Ｕ１２と、第１３レンズ群Ｕ１３と、から構成される。Ｕ１２は、数値実施例４において第７レンズ面〜第１０レンズ面に対応する。Ｕ１３には、１枚の負レンズが含まれている。
【００６４】
第２レンズ群Ｕ２は、数値実施例４において第１８レンズ面〜第２１レンズ面に対応し、物体側から像側へ順に、２枚の負レンズにて構成されている。
【００６５】
第３レンズ群Ｕ３は、数値実施例４において第２２レンズ面〜第２４レンズ面に対応し、物体側から像側へ順に、正レンズと負レンズがこの順に貼り合わされた接合レンズにて構成されている。
【００６６】
第４レンズ群Ｕ４は、数値実施例４において第２５レンズ面〜第２７レンズ面に対応し、物体側から像側へ順に、負レンズと正レンズがこの順に貼り合わされた接合レンズにて構成されている。
【００６７】
非球面は第１１レンズ群Ｕ１１の最も物体側のレンズである第１レンズの物体側面（第１レンズ面）、第１２レンズ群Ｕ１２の最も物体側のレンズ面である第４レンズの物体側面（第７面）に用いられている。主に広角側の歪曲収差や像面彎曲の補正およびフォーカシング時の収差変動の補正を行っている。
【００６８】
第４の実施例の各条件式対応値を表１に示す。数値実施例４はいずれの条件式も満足しており、広角化と高倍率化、小型軽量化を達成しつつ、良好な光学性能を有するズームレンズを実現している。
【００６９】
図１２は、本発明の実施例１〜４のズームレンズを撮影光学系として用いた撮像装置（テレビカメラシステム）の要部概略図である。図１２において１０１は実施例１〜４のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１群Ｆ、変倍部ＬＺ、結像用の第５レンズ群Ｒを有している。第１レンズ群Ｆは合焦用レンズ群が含まれている。
【００７０】
変倍部ＬＺは変倍のために光軸上を移動する第２レンズ群と第３レンズ群と、変倍に伴う像面の変動を補正するために光軸上を移動する第４レンズ群が含まれている。ＳＰは開口絞りである。第５レンズ群Ｒは光路中より挿抜可能なレンズユニットＩＥ’、ＩＥを有している。レンズユニットＩＥ、ＩＥ’を切り替えることで、ズームレンズ１０１の全系の焦点距離範囲を変位している。１１４、１１５は各々第１群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。
【００７１】
１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００７２】
このように本発明のズームレンズをテレビカメラに適用することにより、高い光学性能を有する撮像装置を実現している。
【００７３】
以上、本発明の好ましい実施形態について説明したが、本発明はこれらの実施形態に限定されず、その要旨の範囲内で種々の変形及び変更が可能である。
【００７４】
次に本発明の実施例１〜４に対応する数値実施例１〜４を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉは第ｉ番目の光学部材の屈折率とアッベ数である。焦点距離、Ｆナンバー、画角は、それぞれ無限遠物体に焦点を合わせたときの値を表している。ＢＦはレンズの最終面から像面までの距離である。
【００７５】
尚、非球面形状は、光軸方向の座標をｘ、光軸と垂直方向の座標をｙ、基準の曲率半径をＲ、円錐常数をｋ、ｎ次の非球面係数をAnとして、以下の式で表される。但し、「e-x」は「×10-x」を意味している。尚、非球面を有するレンズ面には各表中の面番号の左側に*印を付している。
ｘ＝（ｙ2／ｒ）／｛１＋（１−ｋ・ｙ2／ｒ2）0.5｝＋A４・ｙ4＋A６・ｙ6＋A８・          ｙ8＋A１０・ｙ10＋A１２・ｙ12＋A１４・ｙ14＋A１６・ｙ16
【００７６】
また、各実施例の第２レンズ群、第３レンズ群の軌跡は、以下の式で表す。
尚、式中におけるｍ２は、第２レンズ群の広角端からの移動量を、広角端から望遠端までの移動量で規格化した値であり、広角端で０、望遠端で１となる。ｍ３は第３レンズ群の広角端からの移動量ｍ３である。Bnはｎ次の移動量係数である。
ｍ３＝B1・m2＋B2・m22＋B3・m23＋B4・m24＋B5・m25＋B6・m26
【００７７】
本発明においては第２、第３レンズ群の軌跡を規定し、第４レンズ群で像面位置の補正を行っているが、像面位置の補正を担うレンズは第２、第３、第４レンズ群いずれでも本発明が成立することは言うまでもない。
【００７８】
各実施例と前述した各条件式との対応を表１に示す。
【００７９】
【表１】
2015018083.tif 000003
【００８０】
数値実施例１
単位 mm
面データ
i          ri       di     ndi        vdi      有効径
1*       170.250    2.70   1.77250    49.6       84.46
2         43.763   25.14                         69.41
3       -115.047    2.20   1.80100    35.0       68.55
4        230.743    0.94                         69.68
5        129.092    8.18   1.95906    17.5       71.23
6       -538.566    0.50                         71.12
7*       159.298    9.89   1.60311    60.6       70.04
8       -141.049   10.27                         69.52
9        -71.186    4.00   1.84666    23.8       64.85
10        -84.133    9.71                         65.95
11        513.979    1.40   1.84666    23.8       62.13
12         64.655   10.82   1.49700    81.5       60.94
13       -401.208    0.20                         61.10
14        261.225    4.14   1.49700    81.5       61.24
15       -666.893    0.20                         61.16
16        168.426    8.46   1.77250    49.6       61.76
17       -121.781  (可変)                         61.69
18         40.751    1.20   2.00100    29.1       34.59
19         27.661    8.31                         31.83
20        -57.166    1.20   1.88300    40.8       30.76
21         85.066  (可変)                         30.04
22         85.066    5.57   1.72047    34.7       30.13
23        -46.450    1.00   1.49700    81.5       29.89
24        617.097  (可変)                         28.92
25        -46.699    1.00   1.77250    49.6       28.35
26         61.450    3.60   1.92286    18.9       30.14
27       -276.523  (可変)                         30.50
28(絞り)    ∞       1.50                         35.53
29        287.050    3.27   1.77250    49.6       36.44
30       -141.930    0.15                         36.72
31         56.654    4.14   1.77250    49.6       37.30
32        328.106    0.15                         36.95
33         72.796    7.66   1.48749    70.2       36.33
34        -46.430    1.00   1.88300    40.8       35.63
35      -1118.900   11.08                         35.14
36         81.963    4.95   1.60311    60.6       32.04
37        -67.745    0.10                         31.59
38         22.373    5.55   1.48749    70.2       26.19
39        417.864    1.00   1.80518    25.4       24.62
40         20.325    4.23                         21.41
41         44.412    4.87   1.48749    70.2       21.37
42        -28.306    1.00   2.00069    25.5       21.11
43         46.691   10.21                         21.47
44         92.235    5.50   1.92286    18.9       28.65
45        -39.615    1.00   2.00069    25.5       28.96
46        -73.486   50.03                         29.43
像面        ∞   
非球面データ
第1面
K = 1.20165e+001  A 4= 1.16984e-007  A 6= 1.11912e-012  A 8=-1.51242e-013  A10= 3.85104e-017  A12= 1.41344e-020  A14=-1.18054e-023  A16=-8.19975e-029  
第7面
K =-1.18533e+001  A 4=-6.94943e-008  A 6=-3.69208e-011  A 8= 1.34360e-013  A10=-1.06729e-016  A12= 2.80086e-020  A14= 2.67232e-023  A16=-1.39898e-026  
各種データ
ズーム比      6.00 
広角     中間     望遠
焦点距離      21.00    87.93   125.94  
Fナンバー      2.77     2.77     3.66  
半画角        35.54     9.68     6.79  
像高          15.00    15.00    15.00  
レンズ全長   314.76   314.76   314.76  
BF            50.03    50.03    50.03  
d17            0.33    57.49    65.29  
d21            4.00     4.65     1.50  
d24           51.63     3.71     7.98  
d27           20.80    10.92     2.00  
d46           50.03    50.03    50.03  
入射瞳位置    57.21   126.01   149.18  
射出瞳位置   -73.53   -73.53   -73.53  
前側主点位置  74.64   151.36   146.75  
後側主点位置  29.03   -37.91   -75.91  
ズームレンズ群データ
群  始面    焦点距離  レンズ構成長  前側主点位置  後側主点位置
1    1      68.73        98.74        70.01         47.45
2   18     -25.40        10.71         6.74         -2.43
3   22      80.00         6.57         1.01         -2.91
4   25     -95.00         4.60        -0.92         -3.37
5   28      49.72        67.35        10.84        -59.68
ズーム軌跡データ
B1=  64.262   B2=  109.871   B3=  -361.468
B4=  437.331   B5=  -199.900   B6=  12.364 
単レンズデータ
レンズ  始面  焦点距離
1       1    -76.60
2       3    -94.93
3       5    107.79
4       7    125.11
5       9   -630.83
6      11    -86.62
7      12    112.58
8      14    377.13
9      16     92.23
10      18    -89.45
11      20    -38.34
12      22     42.17
13      23    -86.62
14      25    -34.05
15      26     54.09
16      29    122.76
17      31     87.64
18      33     59.20
19      34    -54.56
20      36     62.03
21      38     48.10
22      39    -26.32
23      41     36.14
24      42    -17.33
25      44     30.27
26      45    -86.38
【００８１】
数値実施例２
単位 mm
面データ
面番号       r        d      nd         vd       有効径
1*       152.946    2.70   1.77250    49.6       88.26
2         42.913   21.97                         71.02
3       -290.720    2.20   1.69680    55.5       70.62
4        198.244    5.10                         69.69
5         92.190    8.05   1.92286    18.9       71.32
6        183.852    1.50                         70.56
7*       129.463    8.07   1.60311    60.6       70.69
8       -469.585   13.91                         70.38
9        193.883    1.40   1.84666    23.8       66.24
10         53.705   13.59   1.49700    81.5       63.89
11       -915.793    0.20                         63.96
12        153.823    6.07   1.49700    81.5       64.02
13      -2497.182    0.20                         63.71
14        179.148    9.55   1.77250    49.6       63.09
15       -116.727  (可変)                         62.43
16        100.910    1.20   1.77250    49.6       35.03
17         32.733    5.88                         31.50
18        -70.950    1.20   1.72916    54.7       30.80
19         68.926  (可変)                         29.51
20         99.693    2.74   1.71736    29.5       26.82
21       -260.213  (可変)                         26.44
22        -32.225    1.00   1.77250    49.6       26.25
23         53.944    4.39   1.92286    18.9       28.77
24       -115.090  (可変)                         29.29
25(絞り)    ∞       1.50                         30.65
26        476.468    3.27   1.77250    49.6       31.42
27        -84.289    0.15                         31.74
28         87.373    3.10   1.77250    49.6       32.00
29      -1009.541    0.15                         31.83
30         46.739    6.54   1.48749    70.2       31.15
31        -57.076    1.00   1.84666    23.8       30.46
32         55.202   10.85                         29.50
33         45.838    5.25   1.72916    54.7       30.92
34       -110.502    0.10                         30.57
35         56.345    4.64   1.48749    70.2       28.64
36        -75.036    1.00   1.80518    25.4       27.74
37         35.746    8.23                         26.20
38         41.815    7.00   1.80809    22.8       28.72
39        -35.739    1.00   1.64000    60.1       28.47
40         28.730    3.88                         26.44
41         36.580    7.98   1.49700    81.5       27.08
42        -25.203    1.00   2.00069    25.5       26.87
43        -78.734   50.07                         27.66
像面        ∞   
非球面データ
第1面
K = 9.49770e+000  A 4= 1.41404e-007  A 6=-8.11081e-011  A 8=-8.91733e-014  A10= 9.07733e-018  A12= 1.22996e-020  A14=-3.34625e-024  A16=-2.85941e-027  
第7面
K =-1.01535e+001  A 4= 2.41448e-008  A 6=-8.83432e-011  A 8= 9.15680e-014  A10= 1.31238e-017  A12=-6.30445e-020  A14= 4.91891e-023  A16=-1.29340e-026  
各種データ
ズーム比      5.00 
広角     中間     望遠
焦点距離      20.00    69.46   100.00  
Fナンバー      2.76     2.77     2.77  
半画角        36.50    12.03     8.42  
像高          14.80    14.80    14.80  
レンズ全長   294.44   294.44   294.44  
BF            50.07    50.07    50.07  
d15            0.33    47.29    54.93  
d19           13.20     9.42     2.00  
d21           41.89     3.85     7.88  
d24           11.40     6.26     2.00  
d43           50.07    50.07    50.07  
入射瞳位置    55.04   111.18   132.17  
射出瞳位置   -54.21   -54.21   -54.21  
前側主点位置  71.20   134.37   136.28  
後側主点位置  30.07   -19.39   -49.93  
ズームレンズ群データ
群  始面    焦点距離  レンズ構成長  前側主点位置  後側主点位置
1    1      62.90        94.51        65.09         38.14
2   16     -25.71         8.28         4.20         -2.75
3   20     100.00         2.74         0.44         -1.15
4   22     -80.00         5.39        -1.97         -4.92
5   25      42.13        66.64         8.93        -42.89
ズーム軌跡データ
B1=  43.851   B2=  126.862   B3=  -384.782
B4=  443.393   B5=  -166.042   B6=  -19.878 
単レンズデータ
レンズ  始面  焦点距離
1       1    -77.68
2       3   -168.12
3       5    189.86
4       7    168.46
5       9    -87.28
6      10    102.25
7      12    290.92
8      14     92.36
9      16    -62.90
10      18    -47.57
11      20    100.00
12      22    -25.86
13      23     39.81
14      26     92.50
15      28    103.73
16      30     53.64
17      31    -32.68
18      33     44.88
19      35     66.56
20      36    -29.67
21      38     24.60
22      39    -24.64
23      41     31.28
24      42    -37.05
【００８２】
数値実施例３
単位 mm
面データ
i          ri       di     ndi        vdi      有効径
1         91.506    2.50   1.77250    49.6       81.17
2         33.027   18.20                         60.05
3        211.834    1.80   1.81600    46.6       59.41
4         54.197   13.70                         55.90
5        -82.253    1.70   1.81600    46.6       56.00
6        628.489    0.20                         58.73
7        110.105    6.61   1.80518    25.4       61.93
8      -1149.207    5.20                         62.16
9       -134.501    8.20   1.60311    60.6       62.53
10*       -51.776    5.18                         63.00
11       -461.386    9.91   1.43875    94.9       59.93
12        -55.551    1.65   1.80518    25.4       60.15
13        -85.336    3.06                         61.73
14         75.564    1.65   1.83400    37.2       61.55
15         49.424   18.80   1.43875    94.9       59.51
16        -80.251    0.20                         59.12
17        255.375    5.83   1.43387    95.1       56.33
18       -182.790    0.20                         55.88
19         52.837    5.34   1.60311    60.6       51.80
20        108.886  (可変)                         50.73
21         28.575    0.80   1.88300    40.8       23.47
22         17.674    4.37                         21.14
23         54.391    1.00   1.88300    40.8       19.18
24         15.688    6.40                         17.17
25        -26.632    3.77   1.80518    25.4       16.40
26        -13.763    0.85   1.88300    40.8       16.69
27        -88.755  (可変)                         17.28
28         57.490    2.18   1.72825    28.5       17.95
29        -89.632  (可変)                         18.17
30        -30.508    0.80   1.73400    51.5       18.25
31         48.899    2.05   1.80809    22.8       19.51
32       -194.327  (可変)                         19.80
33(絞り)    ∞       1.46                         26.16
34       -285.206    2.86   1.67003    47.2       26.82
35        -41.319    0.10                         27.16
36        105.009    2.49   1.64000    60.1       27.72
37       -120.482    0.20                         27.71
38         43.749    6.43   1.51633    64.1       27.23
39        -43.154    1.00   1.88300    40.8       26.53
40        169.018   30.05                         26.09
41        -64.120    4.12   1.56732    42.8       24.71
42        -34.235    1.95                         25.35
43     -30605.234    1.00   1.88300    40.8       24.88
44         18.874    8.87   1.51633    64.1       24.57
45        -43.522    0.30                         25.50
46         62.813    7.65   1.48749    70.2       26.48
47        -25.472    1.00   1.88300    40.8       26.56
48      -1771.059    0.19                         27.86
49         56.592    8.80   1.48749    70.2       28.98
50        -26.889    3.34                         29.37
51          ∞      33.00   1.60859    46.4       25.96
52          ∞      13.20   1.51680    64.2       17.04
53          ∞       5.00                         13.25
像面        ∞   
非球面データ
第10面
K = 9.16806e-001  A 4= 1.06653e-006  A 6= 4.77333e-010  A 8= 7.02528e-013  A10=-6.33716e-016  A12= 5.87519e-019  A14= 0.0  A16= 0.0
各種データ
ズーム比     13.00 
広角     中間     望遠
焦点距離       4.65    29.63    60.43  
Fナンバー      1.90     1.90     2.80  
半画角        49.79    10.52     5.20  
像高           5.50     5.50     5.50  
レンズ全長   317.33   317.33   317.33  
BF             5.00     5.00     5.00  
d20            0.97    37.97    43.50  
d27            0.33     1.03     0.34  
d29           39.34     1.13     7.39  
d32           11.55    12.05     0.95  
d53            5.00     5.00     5.00  
入射瞳位置    37.81    77.74   111.15  
射出瞳位置   167.76   167.76   167.76  
前側主点位置  42.59   112.76   194.03  
後側主点位置   0.35   -24.63   -55.44  
ズームレンズ群データ
群  始面    焦点距離  レンズ構成長  前側主点位置  後側主点位置
1    1      27.78       109.93        49.44         37.12
2   21     -10.20        17.18         5.81         -7.49
3   28      48.00         2.18         0.49         -0.77
4   30     -55.00         2.85        -0.41         -2.01
5   33      71.03       128.01        92.19       -141.76
ズーム軌跡データ
B1=  47.496   B2=  -8.289   B3=  -1.264
B4=   7.645   B5=   6.645   B6=   9.689
単レンズデータ
レンズ  始面  焦点距離
1       1    -67.85
2       3    -89.26
3       5    -88.59
4       7    123.94
5       9    134.02
6      11    142.52
7      12   -200.84
8      14   -175.27
9      15     72.76
10      17    245.92
11      19    163.64
12      21    -54.03
13      23    -25.13
14      25     30.98
15      26    -18.44
16      28     48.00
17      30    -25.37
18      31     48.03
19      34     71.42
20      36     87.70
21      38     43.00
22      39    -38.62
23      41    122.61
24      43    -21.24
25      44     26.70
26      46     38.14
27      47    -29.11
28      49     38.60
29      51      0.00
30      52      0.00
【００８３】
数値実施例４
単位 mm
面データ
i          ri       di     ndi        vdi      有効径
1*       226.101    2.70   1.77250    49.6       92.26
2         44.306   26.14                         73.29
3       -130.790    2.20   1.77250    49.6       72.90
4        207.823    0.20                         74.15
5        116.035    6.99   1.95906    17.5       75.82
6        714.649    0.50                         75.66
7*       202.656   12.60   1.60311    60.6       75.46
8        -91.158   11.93                         75.19
9        -68.521    2.00   1.84666    23.8       66.65
10        -86.983    7.68                         67.78
11        321.180    1.40   1.84666    23.8       66.10
12         65.869   12.81   1.49700    81.5       65.06
13       -384.669    0.20                         65.40
14        280.395    7.10   1.59522    67.7       65.78
15       -215.303    0.20                         65.74
16        153.621    8.83   1.77250    49.6       65.10
17       -140.533  (可変)                         64.89
18         46.349    1.20   2.00100    29.1       32.89
19         27.608    6.54                         29.92
20        -87.445    1.20   1.88300    40.8       28.99
21         54.870  (可変)                         27.69
22         80.707    4.13   1.72047    34.7       26.09
23        -62.385    1.00   1.49700    81.5       25.76
24        471.774  (可変)                         25.92
25        -37.865    1.00   1.77250    49.6       26.09
26         52.253    4.00   1.92286    18.9       28.11
27       -176.862  (可変)                         28.56
28(絞り)    ∞       1.50                         35.16
29        755.277    3.02   1.77250    49.6       35.91
30       -126.031    0.15                         36.23
31         94.216    3.15   1.77250    49.6       36.77
32       1040.417    0.15                         36.65
33         37.128    9.53   1.48749    70.2       36.10
34        -52.728    1.00   1.88300    40.8       35.32
35       2712.724    9.72                         34.61
36         81.344    4.60   1.60311    60.6       31.07
37        -73.512    0.10                         30.55
38         28.412    5.05   1.48749    70.2       26.10
39       -200.725    1.00   1.80518    25.4       24.67
40         21.818    4.76                         21.60
41         30.189    5.65   1.48749    70.2       21.53
42        -27.517    1.00   2.00069    25.5       21.29
43         49.039   10.94                         21.74
44        100.883    5.44   1.92286    18.9       29.73
45        -41.914    1.00   2.00069    25.5       30.05
46        -69.795   50.08                         30.53
像面        ∞   
非球面データ
第1面
K = 1.89043e+001  A 4= 9.74647e-008  A 6= 1.90772e-010  A 8=-2.98807e-013  A10= 1.09246e-016  A12= 1.27731e-020  A14=-2.09283e-023  A16= 3.63735e-027  
第7面
K =-2.40898e+001  A 4=-2.11485e-007  A 6=-6.31059e-011  A 8= 1.22005e-013  A10=-4.67965e-017  A12=-2.52977e-021  A14= 1.24714e-023  A16=-2.17199e-027  
各種データ
ズーム比      6.78 
広角     中間     望遠
焦点距離      18.50    64.72   125.38  
Fナンバー      2.77     2.77     3.66  
半画角        39.04    13.05     6.82  
像高          15.00    15.00    15.00  
レンズ全長   315.01   315.01   315.01  
BF            50.08    50.08    50.08  
d17            0.33    44.38    55.40  
d21           13.80    11.01     2.14  
d24           38.44     3.83    15.07  
d27           22.04    15.39     2.00  
d46           50.08    50.08    50.08  
入射瞳位置    53.25   106.15   152.12  
射出瞳位置   -83.19   -83.19   -83.19  
前側主点位置  69.18   139.44   159.54  
後側主点位置  31.58   -14.63   -75.30  
ズームレンズ群データ
群  始面    焦点距離  レンズ構成長  前側主点位置  後側主点位置
1    1      54.36       103.47        64.70         40.95
2   18     -23.24         8.94         5.23         -2.25
3   22      86.79         5.13         0.48         -2.59
4   25     -84.00         5.00        -1.31         -4.00
5   28      51.29        67.77        14.66        -62.67
ズーム軌跡データ
B1=  43.851   B2=  126.862   B3=  -384.782 
B4=  443.393   B5=  -166.042   B6=  -19.878 
単レンズデータ
レンズ  始面  焦点距離
1       1    -71.45
2       3   -103.12
3       5    141.72
4       7    105.55
5       9   -397.41
6      11    -97.16
7      12    113.90
8      14    204.99
9      16     95.81
10      18    -69.91
11      20    -37.81
12      22     49.10
13      23   -110.47
14      25    -28.15
15      26     43.54
16      29    139.36
17      31    133.27
18      33     46.15
19      34    -58.23
20      36     64.50
21      38     51.25
22      39    -24.17
23      41     30.41
24      42    -17.34
25      44     32.29
26      45   -105.79
【符号の説明】
【００８４】
Ｕ１：第１レンズ群      Ｕ２：第２レンズ群    Ｕ３：第３レンズ群
Ｕ４：第４レンズ群      Ｕ５：第５レンズ群
【図１】
2015018083.tif 000004
【図２】
2015018083.tif 000005
【図３】
2015018083.tif 000006
【図４】
2015018083.tif 000007
【図５】
2015018083.tif 000008
【図６】
2015018083.tif 000009
【図７】
2015018083.tif 000010
【図８】
2015018083.tif 000011
【図９】
2015018083.tif 000012
【図１０】
2015018083.tif 000013
【図１１】
2015018083.tif 000014
【図１２】
2015018083.tif 000015